(57)【要約】【課題】短時間に球を多量に払い出すこと可能とする。【解決手段】上流側から計数通路１に供給された球の流速が上昇する以前に、球止部１２が球を受け止める一方、計数通路１における弧状の上部６から直線状の中間部７に球が移動する過程において、球の流下方向が上部６の弧状の径方向から上下方向に切り替わることで、連続する複数の球における下方の球とそれに続く上部の球とが互いに上下方向で離れる現象つまり球切れが発生する部分で計数器４が払い出す球を１個ずつ適切に検出している。【選択図】        図１
2004201836.tif 000002
【特許請求の範囲】
【請求項１】
演算子∫に類似した通路形状に形成された計数通路と、計数通路における弧状の上部と直線状の中間部との連接部分に形成された貫通孔と、計数通路の外側に配置された払出体と、払出体の球止部を貫通孔から計数通路の内部に進退可能に払出体を駆動するアクチュエータと、球感知部が球止部よりも下部における計数通路の直線状の中間部に配置された計数器と、払出指示信号と計数器からの計数信号とでアクチュエータを制御する払出制御装置とを備えたことを特徴とする遊技球払出装置。
【発明の詳細な説明】
【０００１】
【発明の属する技術分野】
本発明は遊技機に使用する球を払い出す遊技球払出装置に関する。
【０００２】
【従来の技術】
従来のパチンコ機の遊技球払出装置は遊技機設置設備の補給系統から供給された球を回転体の周面に周方向に等間隔離れた位置に形成された球受部の有るスプロケットの回転で切り分け、切り分けられた球を計数器で１個ずつ検出した後に遊技機の前側に設けられた受皿に供給している（例えば、特許文献１参照）。
【０００３】
【特許文献１】
特開平１０−３２３４３７号公報（第１頁、要約、図２）
【０００４】
【発明が解決しようとする課題】
しかしながら、前記従来例はスプロケットで球を切り分ける構造であるため、球の払出速度を上げるにも限度あり、短時間に多量の球を払い出すことができないという問題点があった。
【０００５】
そこで、本発明は短時間に球を多量に払い出すことができる遊技球払出装置を提供するものである。
【０００６】
【課題を解決するための手段】
本発明にあっては、演算子∫に類似した通路形状に形成された計数通路と、計数通路における弧状の上部と直線状の中間部との連接部分に形成された貫通孔と、計数通路の外側に配置された払出体と、払出体の球止部を貫通孔から計数通路の内部に進退可能に払出体を駆動するアクチュエータと、球感知部が球止部よりも下部における計数通路の直線状の中間部に配置された計数器と、払出指示信号と計数器からの計数信号とでアクチュエータを制御する払出制御装置とを備えたことによって、上流側から計数通路に供給された球の流速が上昇する以前に、球止部が球を受け止める一方、計数通路における弧状の上部から直線状の中間部に球が移動する過程において、球の流下方向が上部の弧状の径方向から上下方向に切り替わることで、連続する複数の球における下方の球とそれに続く上部の球とが互いに上下方向で離れる現象つまり球切れが発生する部分で計数器が払い出す球を１個ずつ適切に検出するので、短時間に球を多量に払い出すことができる。
【０００７】
【発明の実施の形態】
図１は一実施形態に係る遊技球払出装置の縦方向に切断した断面を示す。
【０００８】
図１を参照し、遊技球払出装置について説明する。遊技球払出装置は計数通路１、払出体２、アクチュエータとしての電磁ソレノイド３、計数器４、払出制御装置５を備える。計数通路１は上流側である遊技機設置設備の補給系統の側から供給された球を下流側である遊技機の球を受け取るための受皿の側に排出する球通路であって、演算子の「∫」形状に類似した通路形状になっている。
【０００９】
具体的には、計数通路１の上部６が例えば左側から右側に行くに従って徐々に曲る弧状であり、計数通路１の中間部７が垂直に近い傾斜角度の直線状であり、計数通路１の下部８が右側から左側に行くに従って徐々に曲る弧状である。計数通路１における上部６と中間部７との連接部分には内側に貫通孔９が形成され、外側に計数器取付部１０が形成される。払出体２は台形板状の上部から左側に鳥のくちばしのような形状に突出した球止部１２を備え、球止部１２の真下に位置する台形板状の隅部に回転中心としての払出体軸１３を備える。払出体軸１３は払出体２を装置ケース１４に回転可能に支持する軸である。
【００１０】
払出体２が払出体軸１３を中心として右側から左側に回転すると、球止部１２が計数通路１の外部から貫通孔９を経由して計数通路１の内部に突出する。その状態において、払出体２が払出体軸１３を中心として左側から右側に回転すると、球止部１２が計数通路１の内部から退避する。電磁ソレノイド３のプランジャ１５が上方に向けられた格好で、電磁ソレノイド３が装置ケース１４に図外の止ねじで取り付けられる。プランジャ１５と払出体２とがリンク機構１７で連結される。リンク機構１７は複数のリンクプレート１８；１９を備える。一方のリンクプレート１８は一端部がリンク軸２１で装置ケース１４に上下方向に回転可能に取り付けられる。一方のリンクプレート１８の他端部と他方のリンクプレート１９の一端部とが互いにピン２２で回転可能に取り付けられる。
【００１１】
他方のリンクプレート１９の他端部と払出体２における払出体軸１３の反対側に位置する下部の隅部とが互いにピン２３で回転可能に連結される。一方のリンクプレート１８におけるリンク軸２１とピン２３との間の中間部とプランジャ１５とが互いにピン２４で回転可能に連結される。このプランジャ１５と一方のリンクプレート１８との連結は図外の結合プレートで回転可能に連結されていてもよい。払出体２、リンク機構１７、プランジャ１５の少なくとも何れか１つにはばね２５によるばね力が球止部１２を計数通路１内に突出する方向に付与されている。計数器４は凹部の両側で相対峙する発光部と受光部とを備えた透過形の光センサであって、受光部と発光部との間の凹部が計数通路１を取り込むような格好で、計数器４が計数器取付部１０に取り付けられる。計数器４の発光部から受光部に向けて発射される球感知部としての光軸２６は、計数通路１に形成された図外の貫通孔を経由する。
【００１２】
払出制御装置５は遊技機または貸出機からの払出指示信号で電磁ソレノイド３を駆動する。つまり、ばね２５のばね力で球止部１２が計数通路１の内部に突出している状態において、払出制御装置５が上記払出指示信号で電磁ソレノイド３に電力を供給すると、電磁ソレノイド３がプランジャ１５を下方に吸引する。それに伴い、一方のリンクプレート１８がリンク軸２１を回転中心として下方に回転し、他方のリンクプレート１９が払出体２を下方に引く。それによって、払出体２が払出体軸１３を回転中心として右側に回転し、球止部１２が計数通路１の内部から退避する。装置ケース１４の上部には例えばタンクまたは遊技機設置設備の補給系統が接続される。
【００１３】
本実施形態の構造によれば、計数通路１が演算子の「∫」形状に類似した通路形状になっており、その上部６と中間部７との連接部分に球止部１２が突出するように配置されているので、遊技機設置設備の補給系統の側である上流側から計数通路１に供給された球の流速が上昇する以前に、球止部１２が球を受け止めるため、払出体２の耐久性を一層向上することができる。計数器４の光軸２６が球止部１２よりも下部における中間部７の上段に配置されている。この中間部７は垂直に近い直線状の斜面であるので、計数通路１における弧状の上部６から直線状斜面の中間部７に球が移動する過程において、球の流下方向が装置ケース１４の径方向から上下方向に切り替わることで、連続する複数の球における下方の球とそれに続く上部６の球とが互いに上下方向で離れる現象つまり球切れが発生する。この球切れによって、計数器４は払い出す球を１個ずつ適切に検出することができる。
【００１４】
要するに、演算子の「∫」に類似した通路形状に形成された計数通路１において、流速の上昇する以前の球を球止部１２で受け止めるとともに、球切れが発生する部分で払い出される球を計数器４で検出するので、計数通路１での球の自重による自然な流れのまま、短時間に球を多量に払い出すことができる。
【図面の簡単な説明】
【図１】一実施形態の遊技球払出装置を示す縦断面図。
【符号の説明】
１  計数通路
２  払出体
３  電磁ソレノイド（アクチュエータ）
４  計数器
５  払出制御装置
１２  球止部
２６  光軸（球感知部）
【図１】
2004201836.tif 000003